(57)【要約】【課題】構造物を構成する構成部材の位置調整作業の作業性の向上及び省力化を図ることのできる構造物の構成部材の位置調整方法を提供する。【解決手段】構造物の構成部材の位置調整方法であって、構造物を構成する複数の構成部材のうち、少なくとも１つの構成部材を撮影装置により撮影する撮影ステップと、撮影ステップで撮影された構成部材である被撮影部材の任意位置における位置座標を、被撮影部材の撮像画像の画像解析により検出する被撮影部材情報検出ステップと、被撮影部材情報検出ステップにおいて検出される被撮影部材の任意位置における位置座標に基づき、被撮影部材の位置調整を行う位置調整ステップと、を備える。【選択図】  図１
2019100979.tif 000002
【特許請求の範囲】
【請求項１】
構造物を構成する複数の構成部材のうち、少なくとも１つの前記構成部材を撮影装置により撮影する撮影ステップと、
前記撮影ステップで撮影された前記構成部材である被撮影部材の任意位置における位置座標を、前記被撮影部材の撮像画像の画像解析により検出する被撮影部材情報検出ステップと、
前記被撮影部材情報検出ステップにおいて検出される前記被撮影部材の前記任意位置における前記位置座標に基づき、前記被撮影部材の位置調整を行う位置調整ステップと、を備える
構造物の構成部材の位置調整方法。
【請求項２】
前記構成部材に対応する、設計上の部材である設計部材の任意位置における位置座標を記憶装置に記憶する設計部材情報記憶ステップと、
前記被撮影部材情報検出ステップの後に、前記被撮影部材の前記任意位置における前記位置座標に基づき、前記被撮影部材に対応する前記設計部材を特定する設計部材特定ステップと、をさらに備え、
前記位置調整ステップでは、前記被撮影部材に対応する前記設計部材の位置座標と、前記被撮影部材の位置座標と、の間の誤差に応じて、前記被撮影部材の位置調整を行う
請求項１に記載の構造物の構成部材の位置調整方法。
【請求項３】
前記撮影ステップでは、前記撮影装置により複数の前記被撮影部材が同時に撮影され、
前記位置調整ステップでは、前記複数の被撮影部材の位置調整が同時に行われる
請求項１又は２に記載の構造物の構成部材の位置調整方法。
【請求項４】
前記被撮影部材情報検出ステップでは、前記被撮影部材のエッジ部における位置座標が検出される
請求項１乃至３の何れか１項に記載の構造物の構成部材の位置調整方法。
【請求項５】
前記被撮影部材は、梁部材が仮固定されている柱部材を含む
請求項１乃至４の何れか１項に記載の構造物の構成部材の位置調整方法。
【請求項６】
前記被撮影部材情報検出ステップでは、前記柱部材の複数のエッジ部における位置座標が検出され、
前記構造物の構成部材の位置調整方法は、前記被撮影部材情報検出ステップの後に、前記柱部材の中心軸線を算出する中心軸線算出ステップをさらに備え、
前記位置調整ステップでは、前記中心軸線を用いた位置調整が行われる
請求項５に記載の構造物の構成部材の位置調整方法。
【請求項７】
前記被撮影部材は、梁部材が仮固定されている複数の柱部材を含み、
前記撮影ステップでは、前記撮影装置により前記複数の柱部材が同時に撮影され、
前記被撮影部材情報検出ステップでは、前記複数の柱部材の各々における柱頭部の位置座標が検出され、
前記位置調整ステップでは、前記複数の柱部材の位置調整が同時に行われる
請求項１乃至６の何れか１項に記載の構造物の構成部材の位置調整方法。
【発明の詳細な説明】
【技術分野】
【０００１】
本開示は、構造物を構成する構成部材の位置調整方法に関する。
【背景技術】
【０００２】
従来、鉄骨構造物（構造物）を構成する鉄骨柱（構成部材、柱部材）を設置する際には、鉄骨柱を１本設置する度に、鉄骨柱を中心とする水平方向における互いに直交する２方向それぞれにトランシットを設置して、２つのトランシットにより鉄骨柱の計測を行い、計測結果に応じて鉄骨柱の位置調整（傾き調整を含む）を行う必要があった。上述した２つのトランシットを用いた鉄骨柱の位置調整方法では、トランシット毎に計測工を配置する必要があるので、鉄骨柱の位置調整作業に労力や時間が掛かるという問題があった。
【０００３】
上述した問題を解消するために、計測装置であるトータルステーションと、該トータルステーションから射出された光を計測装置に向かって反射する反射ターゲットと、を備えるトータルステーションシステムを用いた鉄骨柱の位置調整方法があった（特許文献１、２）。特許文献１及び２には、１本の鉄骨柱の頂部にトータルステーションを設けるとともに、他の鉄骨柱の頂部に反射ターゲットを設けることで、トータルステーションに対する反射ターゲットの相対位置を検出して、該反射ターゲットが設けられた鉄骨柱の位置調整を行うことが記載されている。
【先行技術文献】
【特許文献】
【０００４】
【特許文献１】特許第６０９５９４５号公報
【特許文献２】特開２０１６−１２１４３８号公報
【発明の概要】
【発明が解決しようとする課題】
【０００５】
しかしながら、特許文献１及び２に記載の鉄骨柱の位置調整方法では、トータルステーション及び反射ターゲットの設置位置のずれは、反射ターゲットを頂部に設けた鉄骨柱の位置のずれに繋がる虞がある。このため、特許文献１及び２に記載の鉄骨柱の位置調整方法では、トータルステーション及び反射ターゲットを鉄骨柱の頂部の正確な位置に設けることが必要となり、設置作業に高い精度が求められるため、多大な労力や時間が掛かるという問題があった。また、特許文献１及び２に記載の鉄骨柱の位置調整方法では、トータルステーションを頂部に設けた鉄骨柱の位置が基準位置となるため、該基準位置となる鉄骨柱を、トータルステーションや反射ターゲットの設置前に正確な位置に設けることが必要となり、該鉄骨柱の設置作業に多大な労力や時間が掛かるという問題があった。
【０００６】
上述した事情に鑑みて、本発明の少なくとも一実施形態の目的は、構造物を構成する構成部材の位置調整作業の作業性の向上及び省力化を図ることができる構造物の構成部材の位置調整方法を提供することにある。
【課題を解決するための手段】
【０００７】
（１）本発明の少なくとも一実施形態に係る構造物の構成部材の位置調整方法は、
構造物を構成する複数の構成部材のうち、少なくとも１つの前記構成部材を撮影装置により撮影する撮影ステップと、
前記撮影ステップで撮影された前記構成部材である被撮影部材の任意位置における位置座標を、前記被撮影部材の撮像画像の画像解析により検出する被撮影部材情報検出ステップと、
前記被撮影部材情報検出ステップにおいて検出される前記被撮影部材の前記任意位置における前記位置座標に基づき、前記被撮影部材の位置調整を行う位置調整ステップと、を備える。
【０００８】
上記（１）の方法によれば、撮影ステップで撮影された被撮影部材（構成部材）の撮影画像を、被撮影部材情報検出ステップで画像解析することで、従来のように構成部材にトータルステーションや反射ターゲットを設置する必要がなく、また、撮影ステップにおける撮影と同時に被撮影部材の任意位置における位置座標を取得できる。そして、位置調整ステップで、被撮影部材の任意位置における位置座標に基づき、被撮影部材の位置調整を行うことができる。このため、撮影装置により被撮影部材の撮影をすると、被撮影部材の位置調整に用いられる被撮影部材の任意位置における位置座標を即座に取得できるので、被撮影部材（構成部材）の位置調整作業の作業性の向上及び省力化を図ることができる。
【０００９】
特に、位置調整ステップにおいて、被撮影部材の位置調整を人力ではなく、被撮影部材の位置調整が可能な位置調整装置により被撮影部材の位置調整を行う場合には、被撮影部材の撮影をすると、即座に被撮影部材の任意位置における位置座標の取得、及び、被撮影部材の位置調整を行うことができるので、被撮影部材の位置調整作業のさらなる作業性の向上及び省力化を図ることができる。
【００１０】
（２）幾つかの実施形態では、上記（１）の方法において、
前記構成部材に対応する、設計上の部材である設計部材の任意位置における位置座標を記憶装置に記憶する設計部材情報記憶ステップと、
前記被撮影部材情報検出ステップの後に、前記被撮影部材の前記任意位置における前記位置座標に基づき、前記被撮影部材に対応する前記設計部材を特定する設計部材特定ステップと、をさらに備え、
前記位置調整ステップでは、前記被撮影部材に対応する前記設計部材の位置座標と、前記被撮影部材の位置座標と、の間の誤差に応じて、前記被撮影部材の位置調整を行う。
【００１１】
上記（２）の方法によれば、設計部材特定ステップで被撮影部材に対応する設計部材を特定することができ、且つ、位置調整ステップで被撮影部材に対応する設計部材と被撮影部材との位置座標の誤差に応じて、被撮影部材の位置調整を行うことができる。このため、被撮影部材を目的とする位置に調整することを効率良く行うことができる。
【００１２】
（３）幾つかの実施形態では、上記（１）又は（２）の方法において、
前記撮影ステップでは、前記撮影装置により複数の前記被撮影部材が同時に撮影され、
前記位置調整ステップでは、前記複数の被撮影部材の位置調整が同時に行われる。
【００１３】
上記（３）の方法によれば、撮影ステップで撮影装置が複数の被撮影部材を同時に撮影することで、被撮影部材情報検出ステップで複数の被撮影部材の各々の任意位置における位置座標を取得することができる。そして、位置調整ステップで、被撮影部材情報検出ステップで取得した複数の被撮影部材の位置座標に基づき、複数の被撮影部材の位置調整を同時に行うことができる。複数の被撮影部材の位置調整を同時に行うので、一部材毎に位置調整を行う場合に比べて、作業性の向上及び省力化を図ることができる。
【００１４】
（４）幾つかの実施形態では、上記（１）〜（３）の方法において、
前記被撮影部材情報検出ステップでは、前記被撮影部材のエッジ部における位置座標が検出される。
上記（４）の方法によれば、被撮影部材のエッジ部（輪郭部）は、被撮影部材の形が多く変化する部分であるとともに、背景や被撮影部材以外の他の構成部材等と、被撮影部材と、の境界点であるので、画像解析による位置座標の検出を容易に行うことができる。
【００１５】
（５）幾つかの実施形態では、上記（１）〜（４）の方法において、
前記被撮影部材は、梁部材が仮固定されている柱部材を含む。
上記（５）の方法によれば、梁部材は柱部材の位置調整後に仮固定されるが、仮固定の際に梁部材の製作精度や仮固定の施工精度のバラツキによって柱部材の傾き（位置）にずれが生じる虞がある。被撮影部材は上述した梁部材が仮固定されている柱部材を含むので、仮固定によりずれが生じた柱部材の傾き（位置）を調整することができる。
【００１６】
また、梁部材が仮固定されている柱部材は、位置調整が行われた後であっても、梁部材が仮固定、又は強固に固定されている他の柱部材の位置調整を行うことにより、他の柱部材の位置調整に応じて位置がずれる虞がある。この場合には再度の位置調整が必要となる。しかし、撮影ステップで撮影装置が複数の柱部材を同時に撮影し、且つ、位置調整ステップで複数の柱部材の位置調整が同時に行われる場合には、梁部材が仮固定されている複数の柱部材の位置調整を同時に行うことができる。複数の柱部材の位置調整を同時に行うことで、他の柱部材の位置調整によるずれを解消しながら位置調整を行うことができるので、作業性の向上及び省力化を図ることができる。
【００１７】
（６）幾つかの実施形態では、上記（５）の方法において、
前記被撮影部材情報検出ステップでは、前記柱部材の複数のエッジ部における位置座標が検出され、
前記構造物の構成部材の位置調整方法は、前記被撮影部材情報検出ステップの後に、前記柱部材の中心軸線を算出する中心軸線算出ステップをさらに備え、
前記位置調整ステップでは、前記中心軸線を用いた位置調整が行われる。
【００１８】
上記（６）の方法によれば、被撮影部材情報検出ステップで検出された柱部材の複数のエッジ部における位置座標から、中心軸線算出ステップで柱部材の中心軸線を算出することができる。そして、位置調整ステップで、柱部材の中心軸線を用いた位置調整を行うことができるので、エッジ部における位置座標等を用いて位置調整を行うよりも、柱部材の位置調整、特に柱部材の傾きの調整を効率良く行うことができる。
【００１９】
（７）幾つかの実施形態では、上記（１）〜（６）の方法において、
前記被撮影部材は、梁部材が仮固定されている複数の柱部材を含み、
前記撮影ステップでは、前記撮影装置により前記複数の柱部材が同時に撮影され、
前記被撮影部材情報検出ステップでは、前記複数の柱部材の各々における柱頭部の位置座標が検出され、
前記位置調整ステップでは、前記複数の柱部材の位置調整が同時に行われる。
【００２０】
上記（７）の方法によれば、撮影ステップで撮影装置が複数の柱部材を同時に撮影することで、被撮影部材情報検出ステップで複数の柱部材の各々の柱頭部の位置座標を取得することができる。そして、位置調整ステップで、被撮影部材情報検出ステップで取得した柱部材の位置座標に基づき、複数の柱部材の位置調整を同時に行うことができる。複数の柱部材の位置調整を同時に行うので、一部材毎に位置調整を行う場合に比べて、作業性の向上及び省力化を図ることができる。
【００２１】
また、柱部材の柱頭部は撮影装置による撮影が容易である。そして、被撮影部材情報検出ステップでの柱部材の柱頭部の位置座標は、主に背景と柱頭部との境界点であるので、画像解析による位置座標の検出を容易に行うことができる。また、柱部材の柱頭部は、下端部が固定された柱部材において位置ずれが最も大きくなる部分であるので、柱部材の柱頭部における位置座標に基づき、被撮影部材の位置調整を行う場合には、位置調整作業を効率良く行うことができる。
【発明の効果】
【００２２】
本発明の少なくとも一実施形態によれば、構造物を構成する構成部材の位置調整作業の作業性の向上及び省力化を図ることのできる構造物の構成部材の位置調整方法が提供される。
【図面の簡単な説明】
【００２３】
【図１】本発明の一実施形態にかかる構造物の構成部材の位置調整方法を説明するための図であって、鉄骨構造物の斜視図である。
【図２】本発明の一実施形態にかかる構造物の構成部材の位置調整方法のフロー図である。
【図３】構造物の構成部材の位置調整方法の撮影ステップで用いられる撮影装置の構成の一例を概略的に示す概略構成図である。
【図４】構造物の構成部材の位置調整方法の被撮影部材情報検出ステップにおける被撮影部材の撮像画像に対する画像解析を説明するための図であって、鉄骨柱の柱頭部近傍を示す概略斜視図である。
【図５】構造物の構成部材の位置調整方法の位置調整ステップで用いられる位置調整装置を説明するための図であって、鉄骨柱及び位置調整装置を上面から視た概略上面図である。
【図６】本発明の他の一実施形態にかかる構造物の構成部材の位置調整方法のフロー図である。
【図７】構造物の構成部材の位置調整方法の位置調整ステップにおける位置調整を説明するための図であって、鉄骨柱を該鉄骨柱に対応する設計部材とともに示す概略斜視図である。
【図８】構造物の構成部材の位置調整方法の位置調整ステップにおける位置調整を説明するための図であって、鉄骨柱を該鉄骨柱に対応する設計部材とともに示す概略上面図である。
【発明を実施するための形態】
【００２４】
以下、添付図面を参照して本発明の幾つかの実施形態について説明する。ただし、実施形態として記載されている又は図面に示されている構成部品の寸法、材質、形状、その相対的配置等は、本発明の範囲をこれに限定する趣旨ではなく、単なる説明例にすぎない。
例えば、「ある方向に」、「ある方向に沿って」、「平行」、「直交」、「中心」、「同心」或いは「同軸」等の相対的或いは絶対的な配置を表す表現は、厳密にそのような配置を表すのみならず、公差、若しくは、同じ機能が得られる程度の角度や距離をもって相対的に変位している状態も表すものとする。
例えば、「同一」、「等しい」及び「均質」等の物事が等しい状態であることを表す表現は、厳密に等しい状態を表すのみならず、公差、若しくは、同じ機能が得られる程度の差が存在している状態も表すものとする。
例えば、四角形状や円筒形状等の形状を表す表現は、幾何学的に厳密な意味での四角形状や円筒形状等の形状を表すのみならず、同じ効果が得られる範囲で、凹凸部や面取り部等を含む形状も表すものとする。
一方、一の構成要素を「備える」、「具える」、「具備する」、「含む」、又は、「有する」という表現は、他の構成要素の存在を除外する排他的な表現ではない。
【００２５】
図１は、本発明の一実施形態にかかる構造物の構成部材の位置調整方法を説明するための図であって、鉄骨構造物の斜視図である。図２は、本発明の一実施形態にかかる構造物の構成部材の位置調整方法のフロー図である。図１に示されるように、幾つかの実施形態では、構造物２を構成する複数の構成部材３は、鉄骨柱３１（柱部材）や鉄骨梁３２（梁部材）を含み、構造物２は、鉄骨柱３１と鉄骨梁３２とを備える鉄骨構造物２１を含んでいる。図１に示される実施形態では、幾つかの鉄骨柱３１は、床面２２より上方に突出した他の鉄骨柱３１の柱頭部３１２の上に配置され、立設方向に沿って他の鉄骨柱３１に直列に連結している。
【００２６】
図２に示されるように、幾つかの実施形態にかかる構造物の構成部材の位置調整方法１は、撮影ステップＳ１０１と、被撮影部材情報検出ステップＳ１０２と、位置調整ステップＳ１０３と、を備えている。
【００２７】
撮影ステップＳ１０１では、図１に示されるように、構造物２を構成する複数の構成部材３のうち、少なくとも１つの構成部材３を撮影装置４により撮影する。図１に示される実施形態では、撮影装置４は、鉄骨構造物２１の床面２２の上に配置されている。以下、構造物２を構成する複数の構成部材３のうち、撮影装置４の撮影範囲内に位置し、撮影装置４により撮影された構成部材３を被撮影部材３０とする。なお、図１に示される実施形態では、撮影装置４の撮影範囲は、図１中２本の二点鎖線の間、且つ、撮影装置４の撮影中心軸線Ｓを内部に含む範囲である。
【００２８】
図３は、構造物の構成部材の位置調整方法の撮影ステップで用いられる撮影装置の構成の一例を概略的に示す概略構成図である。図３に示されるように、上述した撮影ステップＳ１０１で用いられる撮影装置４は、撮像装置４１と、画像解析装置４２と、測量装置４３と、演算装置４５と、記憶装置４６と、入出力装置４７と、表示装置４８と、を備えている。撮像装置４１、画像解析装置４２、測量装置４３、演算装置４５、記憶装置４６、入出力装置４７及び表示装置４８のそれぞれは、バス４４に電気的に接続されており、装置間における信号の送受信が可能に構成されている。
【００２９】
撮像装置４１は、対物レンズを含む光学素子と、例えばＣＣＤやＣＭＯＳ等を含む撮像素子と、を含んでいる。光学素子は、撮影対象である被撮影部材３０からの光を撮像素子に導くものである。撮像素子は、被撮影部材３０を撮像して、撮像画像（２次元画像データ）を生成するものである。
【００３０】
測量装置４３は、図３に示されるように、水平角測量部４３１と、鉛直角測量部４３２と、測距部４３３と、を有している。水平角測量部４３１は、例えばロータリエンコーダを含み、撮影中心軸線Ｓの撮影装置４に対する水平方向の角度（鉛直軸を中心とする角度）を検出し、検出した水平方向の角度に対応する信号を演算装置４５に出力するようになっている。鉛直角測量部４３２は、例えばロータリエンコーダを含み、撮影中心軸線Ｓの撮影装置４に対する鉛直方向の角度（水平軸を中心とする角度）を検出し、検出した鉛直方向の角度に対応する信号を演算装置４５に出力するようになっている。水平角測量部４３１及び鉛直角測量部４３２により、撮影中心軸線Ｓの水平方向及び鉛直方向の角度が検出される。
【００３１】
測量装置４３の測距部４３３は、撮像装置４１により撮影された撮像画像に対応する、画素ごとの距離情報である距離画像を取得可能に構成されている。距離画像の取得手段としては、光源から出力されるパルス光を被撮影部材３０に向けて照射し、被撮影部材３０からの反射光を受光部で受光するまでの時間と光の速度から、被撮影部材３０までの距離を計算することで距離画像を取得するＴＯＦ（タイム・オブ・フライト）方式や、異なる２つの視点から被撮影部材３０を捉え、これらの２つの視点の視差から距離画像を取得するステレオカメラ方式等がある。
【００３２】
上述した被撮影部材情報検出ステップＳ１０２では、撮影ステップＳ１０１において撮影された被撮影部材３０の任意位置における位置座標を、被撮影部材３０の撮像画像の画像解析により検出する。画像解析装置４２は、撮影ステップＳ１０１において撮影された被撮影部材３０の任意位置における位置座標を、被撮影部材３０の撮像画像の画像解析により検出可能に構成されている。つまり、画像解析装置４２により上述した被撮影部材情報検出ステップＳ１０２が行われる。
【００３３】
第１に、画像解析装置４２は、図４に示されるように、撮像装置４１により撮影された撮像画像から、画像解析により被撮影部材３０の形状を検出する。ここで、図４は、構造物の構成部材の位置調整方法の被撮影部材情報検出ステップにおける被撮影部材の撮像画像に対する画像解析を説明するための図であって、鉄骨柱の柱頭部近傍を示す概略斜視図である。図４に示されるように、撮像画像に仮想の水平検出線ＨＬや垂直検出線ＶＬを設定し、水平検出線ＨＬや垂直検出線ＶＬの線上の輝度値が大きく変化する特徴点であるエッジ部３１１を検出する。複数のエッジ部３１１を検出することで、被撮影部材３０の形状が検出される。なお、画像解析により検出される被撮影部材３０の形状は、被撮影部材３０の一部分であってもよい。
【００３４】
上述したエッジ部３１１には、例えば、背景と被撮影部材３０との境界や、被撮影部材３０の辺と辺との境界、及び、被撮影部材３０の辺と面との境界等が挙げられる。より詳細には、エッジ部３１１には、図４中に黒丸で示されるような、外側面３１４から突出するとともに鉄骨梁３２と接合される梁接合部３１３の角部や外側面３１４との接触部、鉄骨柱３１の柱頭部３１２の角部、及び、鉄骨柱３１の縁部等が挙げられる。また、図４に示されるように、水平検出線ＨＬや垂直検出線ＶＬの線上の複数のエッジ部３１１を検出することで、エッジ部３１１間の距離を検出することもできる。
【００３５】
第２に、画像解析装置４２は、検出された被撮影部材３０の形状と、測量装置４３の測距部４３３により取得した距離画像と、から、被撮影部材３０の３次元データを生成する。該３次元データは、被撮影部材３０の任意位置における位置座標（３次元座標）を抽出可能である。
【００３６】
入出力装置４７（入出力インターフェース）は、構造物の構成部材の位置調整方法１において用いられる各構成要素（撮影装置４や撮影装置４以外の他の装置を含む）からの各種情報や撮影装置４に対する操作情報が入力され、且つ、演算結果等に基づく各種情報を上述した各構成要素に出力する。記憶装置４６（ＲＯＭ、ＲＡＭ）は、入力された各種情報や制御実施のために必要な各種プログラムや演算結果等を記憶可能に構成されている。演算装置４５（ＣＰＵ）は、上述した各種情報に基づいて演算処理を行う。表示装置４８（液晶ディスプレイ）は、上述した演算結果等に基づく各種情報を表示する。なお、撮影装置４は、演算装置４５、記憶装置４６、入出力装置４７及び表示装置４８を含むカメラから構成されているが、一般的な構成及び制御については適宜割愛することとする。
【００３７】
記憶装置４６には、図３に示されるような、設計部材情報データ４６１及び構成部材情報データ４６２が記憶されている。設計部材情報データ４６１は、構成部材３（被撮影部材３０）に対応する設計上の部材である設計部材８の３次元データを含んでいる。ここで、設計部材８は、仮想空間上において、対応する構成部材３と同一の形状を有する部材であって、構成部材３の設置予定位置に予め配置されるものである。構成部材情報データ４６２は、上述した撮像装置４１で撮影された撮像画像、測量装置４３の測距部４３３で取得した距離画像、画像解析装置４２により検出された被撮影部材３０の形状及び被撮影部材３０の３次元データを含んでいる。
【００３８】
なお、幾つかの実施形態では、上述した被撮影部材情報検出ステップＳ１０２において、被撮影部材３０の３次元データと、被撮影部材３０に対応する設計上の部材である設計部材８の３次元データと、を比較（パターンマッチング）して、比較結果から被撮影部材３０の３次元データの修正をしてもよい。画像解析により検出される被撮影部材３０の形状が、被撮影部材３０の一部分である場合には、被撮影部材３０の検出されていない部分の形状を補うことができるので、特に有効である。
【００３９】
図３に示される実施形態では、撮像装置４１は、例えばＰＣ等の不図示の他の装置と有線通信又は無線通信により信号の送受信が可能な通信装置４９をさらに備えている。この場合には、撮影装置４に含まれる少なくとも１つの装置の役割を他の装置に代替させることができる。
【００４０】
なお、撮影装置４は、自身の位置座標を検出可能に構成されていてもよく、また、他の装置で取得した撮影装置４の位置座標を受信可能に構成されていてもよい。また、撮影装置４は、予め位置座標が検出されている位置に設置してもよい。
【００４１】
上述した位置調整ステップＳ１０３では、被撮影部材情報検出ステップＳ１０２において検出される被撮影部材３０の任意位置における位置座標に基づき、被撮影部材３０の位置調整を行う。すなわち、被撮影部材３０の任意位置における位置座標が、目的とする位置座標になるように、被撮影部材３０の位置調整が行われる。
【００４２】
図５は、構造物の構成部材の位置調整方法の位置調整ステップで用いられる位置調整装置を説明するための図であって、鉄骨柱及び位置調整装置を上面から視た概略上面図である。図１、５に示される実施形態では、鉄骨構造物２１は、被撮影部材３０である鉄骨柱３１の位置調整を可能に構成されている少なくとも１つの位置調整装置７を備えている。位置調整装置７は、図１に示されるように、鉄骨柱３１の梁接合部３１３の上に設けられている。位置調整装置７は、図５に示されるように、鉄骨柱３１の４つの外側面３１４の各々に接触するように設けられた４つの位置調整部７１を有している。位置調整部７１は、不図示のモータにより外側面３１４に対して直交方向に沿って移動して、鉄骨柱３１の外側面３１４を外側面３１４に対して直交方向に沿って押圧することにより、鉄骨柱３１の水平方向における位置調整を可能に構成されている。なお、位置調整装置７は、鉄骨柱３１の鉛直方向（立設方向）における位置調整を可能に構成されていてもよいし、鉄骨柱３１の位置調整の際に、鉄骨柱３１に設けられたエレクションピースに取り付けられてもよい。
【００４３】
位置調整装置７は、上述した撮影装置４の通信装置４９を介して、撮影装置４と有線通信又は無線通信により信号の送受信が可能に構成されており、撮影装置４の演算装置４５の演算結果に応じて、被撮影部材３０である鉄骨柱３１が目的の位置に設置されるように、鉄骨柱３１の位置調整を行うことが可能に構成されている。
【００４４】
上述したように、幾つかの実施形態にかかる構造物の構成部材の位置調整方法１は、上述した撮影ステップＳ１０１と、上述した被撮影部材情報検出ステップＳ１０２と、上述した位置調整ステップＳ１０３と、を備えている。
【００４５】
上記の方法によれば、撮影ステップＳ１０１で撮影された被撮影部材３０（構成部材３）の撮影画像を被撮影部材情報検出ステップＳ１０２で画像解析することで、従来のように構成部材３に反射ターゲットを設置する必要がなく、また、撮影ステップＳ１０１における撮影と同時に被撮影部材３０の任意位置における位置座標を取得できる。そして、位置調整ステップＳ１０３で、被撮影部材３０の任意位置における位置座標に基づき、被撮影部材３０の位置調整を行うことができる。このため、撮影装置４により被撮影部材３０の撮影をすると、被撮影部材３０の位置調整に用いられる被撮影部材３０の任意位置における位置座標を即座に取得できるので、被撮影部材３０（構成部材３）の位置調整作業の作業性の向上及び省力化を図ることができる。
【００４６】
特に、位置調整ステップＳ１０３で、人力ではなく、被撮影部材３０の位置調整が可能な位置調整装置７により被撮影部材３０の位置調整を行う場合には、被撮影部材３０の撮影をすると、即座に被撮影部材３０の任意位置における位置座標の取得、及び、被撮影部材３０の位置調整を行うことができるので、被撮影部材３０の位置調整作業のさらなる作業性の向上及び省力化を図ることができる。
【００４７】
図６は、本発明の他の一実施形態にかかる構造物の構成部材の位置調整方法のフロー図である。図７は、構造物の構成部材の位置調整方法の位置調整ステップにおける位置調整を説明するための図であって、鉄骨柱を該鉄骨柱に対応する設計部材とともに示す概略斜視図である。幾つかの実施形態では、構造物の構成部材の位置調整方法１は、図６に示されるように、設計部材情報記憶ステップＳ２０１と、設計部材特定ステップＳ２０２と、をさらに備えている。
【００４８】
設計部材情報記憶ステップＳ２０１では、図７に示されるような、構成部材３に対応する、設計上の部材（３Ｄモデル）である設計部材８の任意位置における位置座標を記憶装置６に記憶する。記憶装置６は、図３に示されるように、撮影装置４の記憶装置４６を含んでいる。上述したように、記憶装置４６の設計部材情報データ４６１は、構成部材３に対応する設計上の部材である設計部材８の３次元データを含んでいる。設計部材８の３次元データは、構成部材３に対応する設計部材８の任意位置における位置座標（３次元座標）を抽出可能である。
【００４９】
設計部材特定ステップＳ２０２では、図６に示されるように、被撮影部材情報検出ステップＳ１０２の後に、被撮影部材３０の任意位置における位置座標に基づき、被撮影部材３０に対応する設計部材８を特定する。設計部材特定ステップＳ２０２では、被撮影部材３０の任意位置における位置座標から被撮影部材３０の少なくとも一部の形状を取得することができる。次に、設計部材特定ステップＳ２０２では、図７に示されるように、被撮影部材３０と設計部材８とを同一の座標軸に変換する。例えば、測量装置４３の水平角測量部４３１及び鉛直角測量部４３２により、水平方向及び鉛直方向の角度が検出された、撮影装置４の撮影中心軸線Ｓを基準とする被撮影部材３０の座標軸に、設計部材８の座標軸を変換する。被撮影部材３０と設計部材８とを同一の座標軸に変換すると、図７に示されるように、被撮影部材３０の周囲に被撮影部材３０に対応する設計部材８が配置される。このため、被撮影部材３０の少なくとも一部の形状からも被撮影部材３０に対応する設計部材８を特定することができる。なお、被撮影部材３０の３次元データと、被撮影部材３０に対応すると思われる設計部材８の３次元データと、を比較（パターンマッチング）して、被撮影部材３０に対応する設計部材８を特定してもよい。
【００５０】
上述した位置調整ステップＳ１０３では、図６に示されるように、設計部材特定ステップＳ２０２の後に、被撮影部材３０に対応する設計部材８の位置座標と、被撮影部材３０の位置座標と、の間の誤差に応じて、被撮影部材３０の位置調整を行う。上述した設計部材特定ステップＳ２０２において、被撮影部材３０に対応する設計部材８が特定されているので、撮影装置４の演算装置４５は、記憶装置４６から被撮影部材３０の位置座標、及び、該位置座標に対応する設計部材８の位置座標を取得して、これらの位置座標の間の誤差を算出する。被撮影部材３０の位置調整を人力で行う場合には、上述した位置座標の間の誤差の算出結果は、被撮影部材３０の位置調整を行う作業員が確認できるように、演算装置４５が、入出力装置４７から他の装置等に出力したり、表示装置４８に表示したりする。また、被撮影部材３０の位置調整を位置調整装置７が行う場合には、演算装置４５は、上述した位置座標の間の誤差の算出結果に応じた制御を位置調整装置７に対して行う。
【００５１】
上記の方法によれば、設計部材特定ステップＳ２０２では被撮影部材３０に対応する設計部材８を特定することができ、且つ、位置調整ステップＳ１０３では、被撮影部材３０に対応する設計部材８と被撮影部材３０との間の誤差に応じて、被撮影部材３０の位置調整を行うことができる。このため、被撮影部材３０を目的とする位置に調整することを効率良く行うことができる。
【００５２】
図８は、構造物の構成部材の位置調整方法の位置調整ステップにおける位置調整を説明するための図であって、鉄骨柱を該鉄骨柱に対応する設計部材とともに示す概略上面図である。幾つかの実施形態では、図１に示されるように、上述した撮影ステップＳ１０１で撮影装置４により複数の被撮影部材３０が同時に撮影される。ここで、複数の被撮影部材３０が同時に撮影されるとは、撮影装置４の撮影範囲に複数の被撮影部材３０が含まれることをいう。つまり、撮影装置４は、撮影範囲内に複数の被撮影部材３０が含まれるような位置に配置されている。図１に示される実施形態では、撮影装置４の撮影範囲内に４本の鉄骨柱３１（柱部材）が含まれ、上述した撮影ステップＳ１０１でこれらの４本の鉄骨柱３１が撮影される。上述した被撮影部材情報検出ステップＳ１０２では、４本の鉄骨柱３１の任意位置における位置座標が算出される。また、図８に示されるように、上述した位置調整ステップＳ１０３で複数の被撮影部材３０の位置調整が同時に行われる。ここで、複数の被撮影部材３０の位置調整が同時に行われるとは、複数の被撮影部材３０の位置調整が同時進行で行われることだけではなく、複数の被撮影部材３０の位置調整が順々に行われることも含んでいる。上述した位置調整ステップＳ１０３では、図８に示されるように、４本の鉄骨柱３１の位置調整が同時に行われる。
【００５３】
上記の方法によれば、撮影ステップＳ１０１で撮影装置４が複数の被撮影部材３０を同時に撮影することで、被撮影部材情報検出ステップＳ１０２で複数の被撮影部材３０の各々の任意位置における位置座標を取得することができる。そして、位置調整ステップＳ１０３で、被撮影部材情報検出ステップＳ１０２で取得した複数の被撮影部材３０の位置座標に基づき、複数の被撮影部材３０の位置調整を同時に行うことができる。複数の被撮影部材３０の位置調整を同時に行うので、一部材毎に位置調整を行う場合に比べて、作業性の向上及び省力化を図ることができる。
【００５４】
幾つかの実施形態では、図４に示されるように、上述した被撮影部材情報検出ステップＳ１０２では、上述した被撮影部材３０のエッジ部３１１における位置座標が検出される。上記の方法によれば、被撮影部材３０のエッジ部３１１（輪郭部）は、被撮影部材３０の形が多く変化する部分であるとともに、背景や被撮影部材３０以外の他の構成部材３等と、被撮影部材３０と、の境界点であるので、画像解析による位置座標の検出を容易に行うことができる。
【００５５】
幾つかの実施形態では、図１に示されるように、被撮影部材３０は、鉄骨梁３２（梁部材）が仮固定されている鉄骨柱３１（柱部材）を含む。鉄骨梁３２が仮固定されているとは、鉄骨梁３２が鉄骨柱３１の梁接合部３１３にボルト及びナットを介して仮締め、すなわち遊びをもたせて緩く締められており、鉄骨柱３１と鉄骨梁３２とが互いに対して移動可能な状態をいう。上記の方法によれば、鉄骨梁３２は鉄骨柱３１の位置調整後に仮固定されるが、仮固定の際に鉄骨梁３２の製作精度や仮固定の施工精度のバラツキによって鉄骨柱３１の傾き（位置）にずれが生じる虞がある。被撮影部材３０は上述した鉄骨梁３２が仮固定されている鉄骨柱３１を含むので、仮固定によりずれが生じた鉄骨柱３１の傾き（位置）を調整することができる。
【００５６】
また、鉄骨梁３２（梁部材）が仮固定されている鉄骨柱３１（柱部材）は、位置調整が行われた後であっても、鉄骨梁３２が仮固定、又は強固に固定されている他の鉄骨柱３１の位置調整を行うことにより、他の鉄骨柱３１の位置調整に応じて位置がずれる虞がある。この場合には再度の位置調整が必要となる。しかし、上述したように、撮影ステップＳ１０１で撮影装置４が複数の鉄骨柱３１を同時に撮影し、且つ、位置調整ステップＳ１０３で複数の鉄骨柱３１の位置調整が同時に行われる場合には、図８に示されるように、鉄骨梁３２が仮固定されている複数の鉄骨柱３１の位置調整を同時に行うことができる。複数の鉄骨柱３１の位置調整を同時に行うことで、他の鉄骨柱３１の位置調整によるずれを解消しながら位置調整を行うことができるので、作業性の向上及び省力化を図ることができる。
【００５７】
幾つかの実施形態では、上述した被撮影部材情報検出ステップＳ１０２では、上述した鉄骨柱３１のエッジ部３１１における位置座標が検出される。また、構造物の構成部材の位置調整方法１は、図２、６に示されるように、上述した被撮影部材情報検出ステップＳ１０２の後に、鉄骨柱３１（柱部材）の中心軸線ＲＬを算出する中心軸線算出ステップＳ３０１をさらに備え、上述した位置調整ステップＳ１０３では、中心軸線ＲＬを用いた位置調整が行われる。図７、８に示されるように、中心軸線算出ステップＳ３０１では、鉄骨柱３１の中心軸線ＲＬに対応する設計部材８の中心軸線ＤＬが算出される。また、上述した位置調整ステップＳ１０３では、設計部材８の中心軸線ＤＬに鉄骨柱３１の中心軸線ＲＬが重なるように、鉄骨柱３１の位置調整が行われる。
【００５８】
上記の方法によれば、被撮影部材情報検出ステップＳ１０２で検出された鉄骨柱３１（柱部材）の複数のエッジ部３１１における位置座標から、中心軸線算出ステップＳ３０１で鉄骨柱３１の中心軸線ＤＬを算出することができる。そして、位置調整ステップＳ１０３で、鉄骨柱３１の中心軸線ＤＬを用いた位置調整を行うことができるので、エッジ部３１１における位置座標等を用いて位置調整を行うよりも、鉄骨柱３１の位置調整、特に鉄骨柱３１の傾きの調整を効率良く行うことができる。
【００５９】
幾つかの実施形態では、図１に示されるように、被撮影部材３０は、鉄骨梁３２が仮固定されている複数の鉄骨柱３１（柱部材）を含み、上述した撮影ステップＳ１０１では、撮影装置４により複数の鉄骨柱３１が同時に撮影され、上述した被撮影部材情報検出ステップＳ１０２では、図４に示されるような、複数の鉄骨柱３１の各々における柱頭部３１２の位置座標が検出され、上述した位置調整ステップＳ１０３では、複数の鉄骨柱３１の位置調整が同時に行われる。
【００６０】
上記の方法によれば、撮影ステップＳ１０１で撮影装置４が複数の鉄骨柱３１（柱部材）を同時に撮影することで、被撮影部材情報検出ステップＳ１０２で複数の鉄骨柱３１の各々の柱頭部３１２の位置座標を取得することができる。そして、位置調整ステップＳ１０３で、被撮影部材情報検出ステップＳ１０２で取得した鉄骨柱３１の位置座標に基づき、複数の鉄骨柱３１の位置調整を同時に行うことができる。複数の鉄骨柱３１の位置調整を同時に行うので、一部材毎に位置調整を行う場合に比べて、作業性の向上及び省力化を図ることができる。
【００６１】
また、鉄骨柱３１（柱部材）の柱頭部３１２は撮影装置４による撮影が容易である。そして、被撮影部材情報検出ステップＳ１０２での鉄骨柱３１の柱頭部３１２の位置座標は、主に背景と柱頭部３１２との境界点であるので、画像解析による位置座標の検出を容易に行うことができる。また、鉄骨柱３１の柱頭部３１２は、下端部が固定された鉄骨柱３１において位置ずれが最も大きくなる部分であるので、鉄骨柱３１の柱頭部３１２における位置座標に基づき、被撮影部材３０の位置調整を行う場合には、位置調整作業を効率良く行うことができる。
【００６２】
幾つかの実施形態では、図１、８に示されるように、被撮影部材３０は、鉄骨梁３２（梁部材）が仮固定されている一群の鉄骨柱３１（柱部材）を含み、上述した撮影ステップＳ１０１では、撮影装置４により一群の鉄骨柱３１が同時に撮影され、被撮影部材情報検出ステップＳ１０２では、図８に示されるような、一群の鉄骨柱３１の各々における柱頭部３１２の位置座標が検出され、上述した位置調整ステップＳ１０３では、一群の鉄骨柱３１の位置調整が同時に行われる。ここで、一群の鉄骨柱３１とは、図１中左側に位置して撮影装置４の撮影範囲に含まれる４つの鉄骨柱３１のような、４つの鉄骨柱３１と、それらに架け渡されて仮固定されている４つの鉄骨梁３２と、により上面視において矩形状を形成するような４つの鉄骨柱３１をいう。
【００６３】
上記の方法によれば、撮影ステップＳ１０１で撮影装置４が一群の鉄骨柱３１（柱部材）を同時に撮影することで、被撮影部材情報検出ステップＳ１０２で一群の鉄骨柱３１の各々の柱頭部３１２の位置座標を取得することができる。そして、位置調整ステップＳ１０３で、被撮影部材情報検出ステップＳ１０２で取得した鉄骨柱３１の位置座標に基づき、一群の鉄骨柱３１の位置調整を同時に行うことができる。一群の鉄骨柱３１は、一群に含まれる他の鉄骨柱３１との関連性が高く、一群に含まれる他の鉄骨柱３１の位置調整により大きく位置がずれる虞がある。このような関連性の高い一群の鉄骨柱３１の位置調整を各々の位置ずれを解消しながら位置調整を行うことができるので、作業性の向上及び省力化を図ることができる。
【００６４】
上述した幾つかの実施形態では、被撮影部材３０は、鉄骨梁３２が仮固定されている鉄骨柱３１を含んでいたが、他の幾つかの実施形態では、被撮影部材３０は、鉄骨梁３２が固定されている鉄骨柱３１、及び、鉄骨梁３２が仮固定されている鉄骨柱３１の両方を含んでいてもよい。また、撮影装置４の記憶装置４６は、鉄骨柱３１に対する鉄骨梁３２が固定されているか否かを示す固定情報を記憶してもよく、演算装置４５は、上述した固定情報を参考にして、鉄骨柱３１の位置調整を行ってもよい。この場合には、固定情報に応じて鉄骨柱３１の位置調整作業を効率良く行うことができる。
【００６５】
なお、上述した幾つかの実施形態では、構造物２は鉄骨構造物２１（Ｓ造）を含んでいたが、構造物２は、木造、Ｓ造、ＲＣ、ＳＲＣ、ＣＦＴ、ＲＣＳ、又はこれらの構造を組合わせた混合構造等を含んでもよい。また、構成部材３は、鉄骨柱３１や鉄骨梁３２に限定されない。構成部材３は、例えば、構造物２（木造、Ｓ造、ＲＣ、ＳＲＣ、ＣＦＴ、ＲＣＳ、又はこれらの構造を組合わせた混合構造等を含む）を構成する柱部材や梁部材であってもよく、また、構造物２を構成する柱部材や梁部材以外の他の部材であってもよい。また、上述した幾つかの実施形態では、撮影ステップＳ１０１では一台の撮影装置４により撮影していたが、複数の撮影装置４により撮影してもよい。
【００６６】
本発明は上述した実施形態に限定されることはなく、上述した実施形態に変形を加えた形態や、これらの形態を適宜組み合わせた形態も含む。
【符号の説明】
【００６７】
１      構造物の構成部材の位置調整方法
２        構造物
２１        鉄骨構造物
２２        床面
３          構成部材
３０          被撮影部材
３１          鉄骨柱
３１１        エッジ部
３１２        柱頭部
３１３        梁接合部
３１４        外側面
３２          鉄骨梁
４      撮影装置
４１      撮像装置
４２      画像解析装置
４３      測量装置
４３１      水平角測量部
４３２      垂直角測量部
４３３      測距部
４４      バス
４５      演算装置
４６      記憶装置
４６１      設計部材情報データ
４６２      構成部材情報データ
４７      入出力装置
４８      表示装置
４９      通信装置
６      記憶装置
７      位置調整装置
７１      位置調整部
８      設計部材
Ｓ１０１  撮影ステップ
Ｓ１０２  被撮影部材情報検出ステップ
Ｓ１０３  位置調整ステップ
Ｓ２０１  設計部材情報記憶ステップ
Ｓ２０２  設計部材特定ステップ
Ｓ３０１  中心軸線算出ステップ
Ｓ  撮影中心軸線
ＨＬ  水平検出線
ＶＬ  垂直検出線
ＲＬ  鉄骨柱の中心軸線
ＤＬ  設計部材の中心軸線
【図１】
2019100979.tif 000003
【図２】
2019100979.tif 000004
【図３】
2019100979.tif 000005
【図４】
2019100979.tif 000006
【図５】
2019100979.tif 000007
【図６】
2019100979.tif 000008
【図７】
2019100979.tif 000009
【図８】
2019100979.tif 000010